(57)【要約】【課題】  畜糞を乾燥むらなく略均一な状態で、破砕又は摩滅することなく静的に乾燥することが可能な畜糞の仕上げ乾燥設備を提供する。【解決手段】  予備乾燥された畜糞１１を貯留して下部から切り出すホッパー１２と、この底部にその受入れ部３１を有しホッパー１２から切り出された畜糞１１を搬送するメッシュコンベア１３と、その入口３４と出口３５を有し送り側メッシュベルト１４を上下及び側部から囲む乾燥室１５と、除湿機３９によって水分が除去されかつ加熱器４０によって加熱された温風を乾燥室１５に供給する押し込みファン１６と、乾燥室１５から排出される排気を吸引して外部に排出する排気ファン１７とを有し、各ファン１６、１７又はダンパ４３、４８を調整し乾燥室１５の圧力を大気圧に近づけた状態で、水分が除去されて加熱された温風を送り側メッシュベルト１４を通過させて畜糞１１の乾燥に使用する。【選択図】        図１
0003111005.tif 000002
【実用新案登録請求の範囲】
【請求項１】
予備乾燥された畜糞を貯留し、下部から徐々に前記畜糞を切り出すホッパーと、
前記ホッパーの底部にその受入れ部を有し、前記ホッパーから切り出された前記畜糞を徐々に搬送するメッシュコンベアと、
前記メッシュコンベアの送り側メッシュベルトの入口と出口を有し、前記送り側メッシュベルトを上下及び側部から囲む乾燥室と、
除湿機によって水分が除去され、かつ加熱器によって加熱された温風を、前記乾燥室に供給する押し込みファンと、
前記乾燥室から排出される排気を吸引して外部に排出する排気ファンとを有し、
前記押し込みファン、前記排気ファン、及びこれらに接続されるダンパのいずれか１又は２以上を調整し、前記乾燥室の圧力を大気圧に近づけた状態で、前記除湿機によって水分が強制的に除去されて加熱された温風を、前記送り側メッシュベルトを通過させて前記畜糞の乾燥に使用することを特徴とする畜糞の仕上げ乾燥設備。
【請求項２】
請求項１記載の畜糞の仕上げ乾燥設備において、前記乾燥室内で前記送り側メッシュベルトの上方には、該送り側メッシュベルトに載った前記畜糞を撹拌するロータリ撹拌羽根が設けられていることを特徴とする畜糞の仕上げ乾燥設備。
【請求項３】
請求項１及び２のいずれか１項に記載の畜糞の仕上げ乾燥設備において、前記ホッパーの底部には、該ホッパーから前記送り側メッシュベルト上に切り出される前記畜糞の該送り側メッシュベルト上の高さを決める高さ調整可能な切り出しゲートが設けられていることを特徴とする畜糞の仕上げ乾燥設備。
【請求項４】
請求項１〜３のいずれか１項に記載の畜糞の仕上げ乾燥設備において、前記メッシュコンベアには、該メッシュコンベアのリターン側メッシュベルトに詰まった畜糞を吹き飛ばす高速ガス噴出手段が設けられていることを特徴とする畜糞の仕上げ乾燥設備。
【請求項５】
請求項１〜４のいずれか１項に記載の畜糞の仕上げ乾燥設備において、前記乾燥室の底部は熱風フードを形成し、該乾燥室の天井部は排気フードを形成して、前記温風が前記送り側メッシュベルトの底部から上に向けて流れることを特徴とする畜糞の仕上げ乾燥設備。
【請求項６】
請求項５記載の畜糞の仕上げ乾燥設備において、前記熱風フードには、該熱風フード内に落下して滞留する前記畜糞を下方へ落下させるための払落し手段と、該払落し手段で落下させた前記畜糞を回収するための払出し手段が設けられていることを特徴とする畜糞の仕上げ乾燥設備。
【考案の詳細な説明】
【技術分野】
【０００１】
本考案は、畜糞（例えば、鶏糞、牛糞、馬糞、又は豚糞）の乾燥に使用する畜糞の仕上げ乾燥設備に関する。
【背景技術】
【０００２】
肥料として使用可能な畜糞の１つである鶏糞は、畜糞の中で最も肥料成分が多く、緩効性の化学肥料と類似した効果が得られるものである。これは、糞と尿が混合しているためである。
鶏糞には、特に、石灰及び窒素が多く含まれており、この窒素のほとんどが尿酸の形態で含まれ、アンモニア性の窒素が少ない。なお、尿酸は水に溶けにくいため、鶏糞を乾燥しても窒素の損失は少ない。
このように、多くの窒素を含む鶏糞をそのままの状態で土壌に入れた場合、鶏糞中の有機物が土壌中で急速に分解して大量のアンモニアが発生し、植物の根を傷める。このため、鶏糞の肥料化において、発酵処理は不可欠なものとなっている。
鶏糞中の窒素分は、発酵処理によりアンモニアガスとして分解又は排出され、もしくは硝酸又は亜硝酸に分解されて、植物の肥料として利用できる。また、このとき発生する熱によって、水分を含む鶏糞（即ち、生鶏糞）は乾燥され、その含水率が約３０質量％前後まで低減される。
【０００３】
製造した肥料の多くは、袋詰めして出荷されるため、発酵処理を行った鶏糞の含水率を２５質量％前後まで更に低減しなければならない。ここで、含水率を低減しなかった未乾燥の鶏糞を袋詰めした場合、有機物の分解が進む現象（即ち、モドリ現象）が起こり、肥料が柔らかくなったり、またカビが発生したりするため、商品価値が損なわれることになる。この現象は、特に、外気が飽和水蒸気状態となり易い、例えば、梅雨、冬季、又は降雨時に発生し易い。
そこで、発酵処理を行った鶏糞の乾燥を行う乾燥設備として、例えば、特許文献１には、ベルトコンベアを使用した乾燥設備が開示されている。
【０００４】
【特許文献１】特開平５−３１９９６９号公報（図１）
【考案の開示】
【考案が解決しようとする課題】
【０００５】
しかしながら、ベルトコンベアのベルト上に鶏糞を載せて乾燥する場合、鶏糞の外側周囲の乾燥が主として行われ、その内部まで十分に乾燥できない。このため、この未乾燥部分で前記した現象が起こり、商品価値が損なわれることになる。
また、ベルトコンベア上で鶏糞の内部まで十分に乾燥しようとすれば、鶏糞の外側周囲を必要以上に加熱する必要があり、その結果乾燥むらが発生して肥料の品質が不均一になり、しかも過剰に加熱した部分が肥料としての機能を有さない恐れもある。
なお、鶏糞全体を略均一に乾燥するため、回転方式（ロータリーキルン等）又は撹拌方式の装置を使用して、鶏糞を連続的に撹拌しながら乾燥することも考えられる。しかし、この場合、回収される鶏糞が過剰に破砕又は摩滅され、例えば、製造する肥料の品質が損なわれる。
【０００６】
本考案はかかる事情に鑑みてなされたもので、畜糞を乾燥むらなく略均一な状態で、破砕又は摩滅することなく静的に乾燥することが可能な畜糞の仕上げ乾燥設備を提供することを目的とする。
【課題を解決するための手段】
【０００７】
前記目的に沿う本考案に係る畜糞の仕上げ乾燥設備は、予備乾燥された畜糞を貯留し、下部から徐々に前記畜糞を切り出すホッパーと、
前記ホッパーの底部にその受入れ部を有し、前記ホッパーから切り出された前記畜糞を徐々に搬送するメッシュコンベアと、
前記メッシュコンベアの送り側メッシュベルトの入口と出口を有し、前記送り側メッシュベルトを上下及び側部から囲む乾燥室と、
除湿機によって水分が除去され、かつ加熱器によって加熱された温風を、前記乾燥室に供給する押し込みファンと、
前記乾燥室から排出される排気を吸引して外部に排出する排気ファンとを有し、
前記押し込みファン、前記排気ファン、及びこれらに接続されるダンパのいずれか１又は２以上を調整し、前記乾燥室の圧力を大気圧に近づけた状態で、前記除湿機によって水分が強制的に除去されて加熱された温風を、前記送り側メッシュベルトを通過させて前記畜糞の乾燥に使用する。
【０００８】
また、本考案に係る畜糞の仕上げ乾燥設備において、前記乾燥室内で前記送り側メッシュベルトの上方には、該送り側メッシュベルトに載った前記畜糞を撹拌するロータリ撹拌羽根が設けられていることが好ましい。
【０００９】
本考案に係る畜糞の仕上げ乾燥設備において、前記ホッパーの底部には、該ホッパーから前記送り側メッシュベルト上に切り出される前記畜糞の該送り側メッシュベルト上の高さを決める高さ調整可能な切り出しゲートが設けられていることが好ましい。
【００１０】
本考案に係る畜糞の仕上げ乾燥設備において、前記メッシュコンベアには、該メッシュコンベアのリターン側メッシュベルトに詰まった畜糞を吹き飛ばす高速ガス噴出手段が設けられていることが好ましい。
【００１１】
本考案に係る畜糞の仕上げ乾燥設備において、前記乾燥室の底部は熱風フードを形成し、該乾燥室の天井部は排気フードを形成して、前記温風が前記送り側メッシュベルトの底部から上に向けて流れることが好ましい。
【００１２】
本考案に係る畜糞の仕上げ乾燥設備において、前記熱風フードには、該熱風フード内に落下して滞留する前記畜糞を下方へ落下させるための払落し手段と、該払落し手段で落下させた前記畜糞を回収するための払出し手段が設けられていることが好ましい。
【考案の効果】
【００１３】
請求項１〜６記載の畜糞の仕上げ乾燥設備は、送り側メッシュベルトに載せた畜糞を、送り側メッシュベルトを通過する温風を使用して乾燥するので、畜糞の外側周囲のみならず、その内部まで略均一に乾燥できる。これにより、例えば、均一な品質の肥料を製造でき、その商品価値を従来よりも向上できる。
また、メッシュベルトを使用する場合、メッシュベルトの多数の孔から微細な畜糞が落下する恐れがあるが、畜糞を乾燥室内で乾燥するので、落下した畜糞も容易に回収できる。
このように、畜糞の乾燥は、被乾燥物である畜糞の粒子間を、温風を貫流させて行うので、例えば、従来の回転方式又は撹拌方式の装置を使用することなく、畜糞をメッシュベルト上で静的に移送しながら連続的に乾燥できる。これにより、畜糞の粒子の破砕又は摩滅を抑制、更には防止でき、回収時の畜糞の形状を略維持しながら畜糞の乾燥ができるので、例えば、製造する肥料の商品価値を更に向上できる。
【００１４】
請求項２記載の畜糞の仕上げ乾燥設備は、乾燥室内に畜糞を撹拌するロータリ撹拌羽根を設けているので、畜糞を撹拌しながら乾燥して、畜糞の乾燥むらを無くすことができる。また、撹拌によって層状の畜糞を切り返し（掻き起こし）、畜糞の乾燥効率を高め、温風の貫流を良好にできる。
【００１５】
請求項３記載の畜糞の仕上げ乾燥設備は、畜糞を送り側メッシュベルト上に切り出すホッパーの底部に、高さ調整可能な切り出しゲートを設けているので、この切り出しゲートによって畜糞の厚みを調整することにより、その処理量を調整できる。
【００１６】
請求項４記載の畜糞の仕上げ乾燥設備は、メッシュコンベアにリターン側メッシュベルトに詰まった畜糞を吹き飛ばす高速ガス噴出手段を設けているので、メッシュベルトの目詰まりを抑制、更には防止でき、温風の流れを阻害することなく、しかもメッシュベルトの清掃作業も減少でき、畜糞を作業性よく乾燥できる。
【００１７】
請求項５記載の畜糞の仕上げ乾燥設備は、温風を送り側メッシュベルトの底部から上に向けて流すので、送り側メッシュベルトに対して畜糞を吹き付けることなく、送り側メッシュベルトの目詰まりを抑制できる。
【００１８】
請求項６記載の畜糞の仕上げ乾燥設備は、熱風フード内に滞留する畜糞を下方へ落下させるための払落し手段と、この払落し手段で落下させた畜糞を回収するための払出し手段を設けているので、落下する畜糞の回収率を向上できると共に、熱風フード内の掃除の手間を減少できる。
【考案を実施するための最良の形態】
【００１９】
続いて、添付した図面を参照しつつ、本考案を具体化した実施の形態につき説明し、本考案の理解に供する。
ここで、図１は本考案の一実施の形態に係る畜糞の仕上げ乾燥設備の説明図、図２は同畜糞の仕上げ乾燥設備を使用した鶏糞処理の説明図、図３は同畜糞の仕上げ乾燥設備の乾燥用切り出しタンクの底部の正面図、図４（Ａ）、（Ｂ）はそれぞれ同畜糞の仕上げ乾燥設備の乾燥室内の正断面図、部分側断面図、図５は同畜糞の仕上げ乾燥設備の高速ガス噴出手段の説明図である。
【００２０】
図１、図２に示すように、本考案の一実施の形態に係る畜糞の仕上げ乾燥設備（以下、単に乾燥設備ともいう）１０は、貯留した鶏糞（畜糞の一例）１１を下部から徐々に切り出す乾燥用切り出しタンク（ホッパーの一例）１２と、この乾燥用切り出しタンク１２から切り出された鶏糞１１を徐々に搬送するメッシュコンベア１３と、このメッシュコンベア１３の送り側メッシュベルト１４を囲む乾燥室１５と、この乾燥室１５内に温風を供給する押し込みファン１６と、乾燥室１５から排出される排気を外部に排出する排気ファン１７とを有する設備である。以下、図２に示す鶏糞の処理手順に基づき、乾燥設備１０について詳しく説明する。
【００２１】
図２に示すように、まず、回収した生鶏糞を発酵処理装置１８に仕込み、生鶏糞の発酵処理（発酵工程）と予備乾燥処理（乾燥工程）とを行う。
この発酵処理装置１８は、断面凹状となった樋１９（例えば、長さが５０ｍ以上６０ｍ以下程度）と、この樋１９の上方に樋１９の長手方向に沿って往復移動可能となったロータリ式撹拌機２０とを有している。
これにより、樋１９の上流側から仕込まれた生鶏糞を、ロータリ式撹拌機２０で撹拌しながら下流側へ送ることで、生鶏糞の通気性を向上させて発酵を促進できる。なお、生鶏糞の発酵処理の際には、生鶏糞が発熱するため、発酵処理装置１８の下流側では生鶏糞の予備乾燥処理が行われる。
この発酵処理装置１８による処理を、所定日数（例えば、２ヶ月以上３ヶ月以下程度）行うことで、含水率３０質量％程度（ここでは、含水率３２質量％程度）の予備乾燥された鶏糞を製造できる。
【００２２】
次に、この予備乾燥処理がなされた鶏糞を切り出しタンク２１へ投入し、ベルトコンベア２２を介して一定量ずつ振動篩２３へ供給する。
この振動篩２３では、篩上となる鶏糞中の例えば、大塊状鶏糞又は異物を除去し、これをコンテナ２４で回収する。一方、篩下となる鶏糞（例えば、その大きさが１０ｍｍ以下程度のもの）のうち、水分が多いものは、正逆運転する傾斜型ベルトコンベア２５及びその下流側に配置される傾斜型ベルトコンベア２６を介して乾燥設備１０へ送られる。なお、篩別された鶏糞のうち水分が少ないもの、即ち傾斜型ベルトコンベア２５から落下するものは、乾燥設備１０へ送られることなく、乾燥設備１０の下流側に配置されるベルトコンベア２７に送られる。
【００２３】
傾斜型ベルトコンベア２６で搬送されてきた鶏糞１１は、乾燥設備１０の乾燥用切り出しタンク１２に供給された後、メッシュコンベア１３へ切り出された後、所定の速度（ここでは、例えば２０ｃｍ／分程度、鶏糞の滞留時間が例えば２０分以上２５分以下程度、鶏糞の乾燥処理量が１時間当たり１トン程度）で下流側へ搬送されながら乾燥される。
図１及び図３に示すように、乾燥用切り出しタンク１２は、下方へ向かってその内幅が縮幅する形状となっており、その底部に設けられた鶏糞切り出し部２８に切り出しゲート２９が設けられている。この切り出しゲート２９は板状となっており、鶏糞切り出し部２８に２つの調整ねじ３０を介して、上下動可能に取付けられている。また、鶏糞切り出し部２８には、メッシュコンベア１３の受入れ部３１が接続されている。
これにより、乾燥用切り出しタンク１２に貯留された鶏糞１１を、鶏糞切り出し部２８からメッシュコンベア１３に、その受入れ部３１を介して徐々に切り出すことができる。そして、この切り出しの際に、送り側メッシュベルト１４に対する切り出しゲート２９の高さ位置を、各調整ねじ３０を操作して調整することで、送り側メッシュベルト１４上に切り出される鶏糞１１の厚みを、例えば、５ｃｍ以上１５ｃｍ以下程度に調整（高さ調整）し、乾燥設備１０での鶏糞の処理量を制御できる。
【００２４】
鶏糞１１を搬送するメッシュコンベア１３としては、例えば、特開平７−１９６１１７号公報、又は特開平８−３１０６２６号公報に開示されたものを使用できる。このメッシュコンベア１３は、例えば、耐熱性及び耐食性を備える金属で構成され、多数の開き目（例えば、１ｍｍ以下程度）を備える無端状のメッシュベルト３２を有するものである。そして、このメッシュベルト３２は、複数のガイドローラ３３により、連続的に搬送されている。
このメッシュベルト３２のうち、鶏糞１１を搬送する送り側メッシュベルト１４は、その上下及び側部が、送り側メッシュベルト１４の入口３４と出口３５を有する複数（ここでは、３台）の乾燥室１５により囲まれている。
各乾燥室１５の底部は、送り側メッシュベルト１４へ向かってその内幅が拡幅する熱風フード３６を形成し、また各乾燥室１５の天井部は、送り側メッシュベルト１４から上方へ向かってその内幅が縮幅する排気フード３７を形成している。
【００２５】
この各乾燥室１５の熱風フード３６には、熱風発生手段３８が設けられ、この熱風発生手段３８は、その上流側から下流側へかけて配置される除湿機３９、熱風発生器（加熱器の一例）４０、及び押し込みファン１６を有している。
この除湿機３９は、従来公知のものであり、取り入れた空気（外気）の温度を下げてその湿分を水にし、空気から水分を除去するものである。熱風発生器４０は、バーナ４１を備えており、水分が除去された外気を、例えば、８０℃以上９０℃以下程度に加熱するものである。押し込みファン１６は、熱風発生器４０で発生した温風を、三叉に分岐した温風ダクト４２を介して各乾燥室１５に供給するものである。なお、温風ダクト４２の分岐部分には、それぞれ吸気ダンパ４３が設けられ、各熱風フード３６に設けられた整流板４４を介して、各乾燥室１５へ流入する温風の供給量が制御可能になっている。
【００２６】
また、各乾燥室１５の排気フード３７には、排気手段４５が設けられ、この排気手段４５は、その上流側から下流側へかけて、集塵機４６及び排気ファン１７を有している。
この排気ファン１７は、乾燥室１５から排出される排気を、排気ダクト４７を介して吸引し、外部に強制的に排出するためのものである。この排気ダクト４７の途中には、集塵機４６が設けられ、例えば、排気中に浮遊する粉塵を回収して除去し、清浄にした空気を排気ファン１７から外部へ排出している。なお、各排気フード３７に接続される排気ダクト４７の分岐部分には、それぞれ排気ダンパ４８が設けられ、各乾燥室１５からの排気量が制御可能になっている。
【００２７】
これにより、乾燥室１５内に外気が入らないように（加圧状態）、押し込みファン１６からの温風流量を調節する吸気ダンパ４３と、排気ファン１７への排気流量を調節する排気ダンパ４８を調整し、乾燥室１５の圧力を大気圧に近づけた状態で、熱風発生手段３８で発生した温風を、乾燥室１５内に供給して鶏糞１１の乾燥に使用する。この温風流量と排気流量の調節は、各吸気ダンパ４３及び排気ダンパ４８を使用することなく、押し込みファン１６の温風押し込み能力又は排気ファン１７の排気能力を調整することでも可能である。ここで、排気ファン１７のみを使用する場合、隙間を介して乾燥室１５外から湿度の高い空気が乾燥室１５内に吸い込まれ、鶏糞の乾燥が阻害される。一方、押し込みファン１６のみを使用する場合、隙間から温風の一部が逃げるため、熱エネルギーが効果的に使われず経済的でない。
【００２８】
なお、鶏糞１１の乾燥に際しては、押し込みファン１６より送られた温風が、乾燥室１５の熱風フード３６に供給され、送り側メッシュベルト１４の底部から送り側メッシュベルト１４及び鶏糞１１層を貫流して、排気フード３７から排気ファン１７により排気されるので、温風を乾燥室１５内に滞留させることなく連続的に鶏糞１１層に吹き付けることができ、鶏糞１１中の水分の蒸発効率を向上できる。
また、温風を送り側メッシュベルト１４の底部から上に向けて流すことで、送り側メッシュベルト１４の目詰まりを抑制、更には防止できる。
そして、温風は、除湿された空気を熱風発生器４０により加熱したものであるため、相対湿度が非常に低く（例えば、数％程度）なり、鶏糞１１の乾燥効率を向上でき、しかも鶏糞１１は低温乾燥されるので、成分の変性が少なく栄養バランスの優れた有機肥料となる。
【００２９】
ここで、更に、鶏糞１１の乾燥を効率的に行うため、即ち鶏糞１１の乾燥むらを無くしたり、温風の貫流を良好にするため、図４（Ａ）、（Ｂ）に示すように、乾燥室１５内送り側メッシュベルト１４の上方に、幅方向に渡ってロータリ撹拌羽根４９を回転可能に設ける。
このロータリ撹拌羽根４９は、従来公知の耕運機又はコンバインに設けられているものと略同様の構成のものを使用でき、排気フード３７に回転可能に設けられた回転軸５０と、この回転軸５０の長手方向に渡って同じピッチで、しかも回転軸５０の半径方向に突出して設けられた複数の撹拌羽根５１、５２とを有している。
このロータリ撹拌羽根４９を回転させて、鶏糞１１層を撹拌しながら乾燥することで、鶏糞１１全体を略均一に乾燥できる。なお、ロータリ撹拌羽根４９の回転速度は、鶏糞１１が粉砕されない程度に低速回転（例えば、５ｒｐｍ以上２０ｒｐｍ以下程度）させる。
【００３０】
また、鶏糞１１の搬送に際しては、送り側メッシュベルト１４の多数の孔から、細かくなった鶏糞１１が落下する恐れがあるため、各熱風フード３６の下端部を連通するスクリューコンベア（払出し手段の一例）５３を設けて回収する。
このスクリューコンベア５３は、螺旋状の羽根が回転することにより、各熱風フード３６内に落下する鶏糞を、各熱風フード３６から連続的に払い出すものである。
そして、熱風フード３６内に落下する鶏糞１１は、スクリューコンベア５３の位置まで落下することなく滞留する恐れがあるため、各熱風フード３６に、例えば、つい打装置、ハンマリング装置、又はシェーキング装置のような払落し手段５４を設ける。なお、鶏糞１１の落下をよりスムーズに行うため、例えば、熱風フード３６の底面の傾斜角度を大きく（例えば、４５度以上、好ましくは６０度以上）することも可能である。
このスクリューコンベア５３により回収された鶏糞１１は、乾燥設備１０の下流側に配置されるベルトコンベア２７に移送され、次工程へと移送される。
【００３１】
そして、送り側メッシュベルト１４で乾燥されながら搬送されてきた鶏糞１１は、その含水率が例えば２５質量％程度まで低減され、乾燥設備１０の下流側に配置されるベルトコンベア２７へ排出される。
なお、図５に示すように、メッシュコンベア１３には、メッシュベルト３２のリターン側メッシュベルト５５の目に詰まった鶏糞１１を吹き飛ばす高速ガス噴出手段５６が設けられている。この高速ガス噴出手段５６は、リターン側メッシュベルト５５の内側から外側へ向けて、高速気流（例えば、８０ｍ／秒以上）を発生できるように配置された送風機である。
これにより、メッシュベルト３２の目詰まりを抑制、更には防止して、鶏糞１１の乾燥を作業性良く連続的に実施できる。
【００３２】
ベルトコンベア２７で搬送されてきた乾燥設備１０での乾燥処理後の鶏糞は、振動篩５７にかけられ、その大きさ別に貯留ホッパー５８〜６１に供給される。なお、乾燥設備１０を通過することなく回収された鶏糞も、振動篩５７にかけられ、各貯留ホッパー５８〜６１に供給できる。
そして、各大きさの鶏糞を、ベルトコンベア６２及びバケットコンベア６３を介して袋詰機６４へ搬送し、各大きさ毎に袋詰めした後、製品６５として出荷する。
なお、最も細かい鶏糞は、必要に応じて、ペレタイザー６６によりペレット化された後、ベルトコンベア６７及びバケットコンベア６３を介して袋詰機６４へ送られ、袋詰めされて製品６４として出荷される。
以上のように、発酵処理を行いながら予備乾燥した鶏糞を、乾燥設備１０を使用することで、乾燥むらなく略均一な状態で乾燥でき、有機物の分解が進んで生じる現象を抑制、更には防止して、商品価値の高い肥料を製造できる。
【００３３】
以上、本考案を、一実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の畜糞の仕上げ乾燥設備を構成する場合も本考案の権利範囲に含まれる。
また、前記実施の形態においては、乾燥対象として畜糞である鶏糞を使用した場合について説明したが、他の畜糞、例えば、牛糞、馬糞、又は豚糞を使用すること可能である。また、乾燥目的として、鶏糞を肥料として使用する場合について説明したが、畜糞の乾燥が目的であればこれに限定されるものではない。
そして、前記実施の形態においては、複数の乾燥室を配置した場合について説明したが、鶏糞の乾燥を目的の含水率まで低減できれば、乾燥室は１台でもよい。
【図面の簡単な説明】
【００３４】
【図１】本考案の一実施の形態に係る畜糞の仕上げ乾燥設備の説明図である。
【図２】同畜糞の仕上げ乾燥設備を使用した鶏糞処理の説明図である。
【図３】同畜糞の仕上げ乾燥設備の乾燥用切り出しタンクの底部の正面図である。
【図４】（Ａ）、（Ｂ）はそれぞれ同畜糞の仕上げ乾燥設備の乾燥室内の正断面図、部分側断面図である。
【図５】同畜糞の仕上げ乾燥設備の高速ガス噴出手段の説明図である。
【符号の説明】
【００３５】
１０：畜糞の仕上げ乾燥設備、１１：鶏糞、１２：乾燥用切り出しタンク（ホッパー）、１３：メッシュコンベア、１４：送り側メッシュベルト、１５：乾燥室、１６：押し込みファン、１７：排気ファン、１８：発酵処理装置、１９：樋、２０：ロータリ式撹拌機、２１：切り出しタンク、２２：ベルトコンベア、２３：振動篩、２４：コンテナ、２５、２６：傾斜型ベルトコンベア、２７：ベルトコンベア、２８：鶏糞切り出し部、２９：切り出しゲート、３０：調整ねじ、３１：受入れ部、３２：メッシュベルト、３３：ガイドローラ、３４：入口、３５：出口、３６：熱風フード、３７：排気フード、３８：熱風発生手段、３９：除湿機、４０：熱風発生器（加熱器）、４１：バーナ、４２：温風ダクト、４３：吸気ダンパ、４４：整流板、４５：排気手段、４６：集塵機、４７：排気ダクト、４８：排気ダンパ、４９：ロータリ撹拌羽根、５０：回転軸、５１、５２：撹拌羽根、５３：スクリューコンベア（払出し手段）、５４：払落し手段、５５：リターン側メッシュベルト、５６：高速ガス噴出手段、５７：振動篩、５８〜６１：貯留ホッパー、６２：ベルトコンベア、６３：バケットコンベア、６４：袋詰機、６５：製品、６６：ペレタイザー、６７：ベルトコンベア
【図１】
0003111005.tif 000003
【図２】
0003111005.tif 000004
【図３】
0003111005.tif 000005
【図４】
0003111005.tif 000006
【図５】
0003111005.tif 000007